(57)【要約】【課題】電源電圧が変動しても電磁ポンプからの吐出圧力及び燃油量を一定に保持し、常に良好な燃焼が行えるようにした燃焼制御装置を提供する。【解決手段】電磁ポンプ３によって燃油を圧送して燃焼させるもので、電源電圧を検知し、この電源電圧に応じて電磁ポンプ３のオンタイムを補正して、燃油の吐出圧力の変動を防止するようにしたもので、前記電磁ポンプ３の電源電圧による補正は、着火時の第一電圧補正と、通常燃焼時の第二電圧補正の少なくとも二種類設けたことにより、電圧補正を着火時と通常燃焼時とで二種類設けたことにより、それぞれ最適な補正が行われて、着火に適した吐出圧力及び燃油量の供給であり、通常燃焼に適した吐出圧力及び燃油量の供給で、常に良好な着火及び通常燃焼が行われるものである。【選択図】  図１
2005265333.tif 000002
【特許請求の範囲】
【請求項１】
電磁ポンプによって燃油を圧送して燃焼させるもので、電源電圧を検知し、この電源電圧に応じて電磁ポンプのオンタイムを補正して、燃油の吐出圧力の変動を防止するようにしたものに於いて、前記電磁ポンプの電源電圧による補正は、着火時の第一電圧補正と、通常燃焼時の第二電圧補正の少なくとも二種類設けた事を特徴とする燃焼制御装置。
【請求項２】
前記着火時の第一電圧補正は、所定電圧範囲は電圧変動とオンタイムは反比例関係で、所定電圧範囲以上及び所定電圧範囲以下では電圧変動に関係なくオンタイムは一定とした事を特徴とする請求項１記載の燃焼制御装置。
【請求項３】
前記通常燃焼時の第二電圧補正は、全範囲に於いて電圧変動とオンタイムは反比例関係とした事を特徴とする請求項１記載の燃焼制御装置。
【請求項４】
前記着火時は、軟起動着火する事を特徴とする請求項１及び２記載の燃焼制御装置。
【発明の詳細な説明】
【技術分野】
【０００１】
この発明は暖房器や給湯機の燃焼部を構成するガンタイプバーナ等の燃焼制御装置に関するものである。
【背景技術】
【０００２】
従来よりこの種のものでは、電源電圧の変動に応じて電磁ポンプを駆動するパルスのオンタイムを増減することで、吐出圧力及び燃油量の変動を防止して、常に良好な燃焼を得るものであった。（例えば、特許文献１参照。）
【特許文献１】特開昭６３−３２１７３号公報
【発明の開示】
【発明が解決しようとする課題】
【０００３】
ところでこの従来のものでは、着火から燃焼範囲の全域で、電源電圧の変動に応じてオンタイムを増減するただ１つの補正のみしか行っていないので、燃焼立ち上がりの着火時は、小火力で緩やかな燃焼から入り、特にガンタイプバーナでは着火音を考慮して、極めて低い燃油の吐出圧力で着火する軟起動着火を行うので、基準電圧付近では影響するが、この基準電圧から離れるに従って電源電圧が多少変動したとしても吐出圧力にはあまり影響せず一定となるので、ここでもオンタイムの増減補正をすると、逆に吐出圧力及び供給される燃油量が変動する結果となり、着火音が大きくなったり、スモークや臭いが発生すると言う問題点を有するものであった。
【課題を解決するための手段】
【０００４】
この発明はこの点に着目し上記問題点を解決する為、特にその構成を請求項１では、電磁ポンプによって燃油を圧送して燃焼させるもので、電源電圧を検知し、この電源電圧に応じて電磁ポンプのオンタイムを補正して、燃油の吐出圧力の変動を防止するようにしたものに於いて、前記電磁ポンプの電源電圧による補正は、着火時の第一電圧補正と、通常燃焼時の第二電圧補正の少なくとも二種類設けたものである。
【０００５】
又請求項２では、前記着火時の第一電圧補正は、所定電圧範囲は電圧変動とオンタイムは反比例関係で、所定電圧範囲以上及び所定電圧範囲以下では電圧変動に関係なくオンタイムは一定としたものである。
【０００６】
又請求項３では、前記通常燃焼時の第二電圧補正は、全範囲に於いて電圧変動とオンタイムは反比例関係としたしたものである。
又請求項４では、前記着火時は、軟起動着火するものである。
【発明の効果】
【０００７】
この発明の請求項１によれば、電圧補正を着火時と通常燃焼時とで二種類設けたことにより、それぞれ最適な補正が行われて、着火に適した吐出圧力及び燃油量の供給であり、通常燃焼に適した吐出圧力及び燃油量の供給で、常に良好な着火及び通常燃焼が行われるものである。
【０００８】
又請求項２では、電源電圧が変動しても的確な補正が行われ、確実でミスのない着火が常に行われ、安心して使用出来るものである。
【０００９】
又請求項３では、簡単な補正でありながら、電源電圧の変動があっても常に良好な通常燃焼が得られるものである。
【００１０】
又請求項４では、静音着火が確実に行われ、スモークや臭いの発生をなくした着火が常に得られて、安心して使用出来るものである。
【発明を実施するための最良の形態】
【００１１】
次にこの発明の一実施形態を図面に基づいて説明する。
１は石油給湯機のバーナ（ガンタイプバーナ）として使用される燃焼バーナで、燃油を噴霧するノズル２と、該ノズル２に燃油を圧送する電磁ポンプ３と、該電磁ポンプ３とノズル２とを結ぶ送油管４の途中に設けられた電磁弁から成る開閉弁５と、燃焼用の空気を供給する燃焼ファン６とから構成されているものである。
【００１２】
前記電磁ポンプ３は、吐出圧（供給圧）可変式で、この電磁ポンプ３に制御回路７から供給されるパルス電圧のオンタイム（通電幅）の大小によって、燃油の供給圧（供給量）を変え、これに応じて燃焼ファン６も制御回路７によって制御され、供給空気量を調節することで、要求熱量に対応した燃焼量で燃焼させるものである。
【００１３】
更に制御回路７では正常値の電圧１００Ｖを基準電圧とし、入力される電源電圧を検知する電源電圧検知部８を備え、そしてこの検知した電源電圧の大小に応じて上記したオンタイムを増減する補正部９を有し、該補正部９は図２に示す着火時の第一電圧補正と、図３に示す通常燃焼時の第二電圧補正との二種類の補正を行うもので、第一電圧補正は軟起動着火時に電源電圧９０Ｖ〜１１０Ｖの所定範囲Ａでは、電源電圧が高くなるに従いオンタイムが減少する反比例式となり、電源電圧９０Ｖ以下及び１１０Ｖ以上は一定のオンタイムとしており、又第二電圧補正は電源電圧が高くなるに従いオンタイムが減少する反比例式としているものである。
【００１４】
次にこの一実施形態の作動を図４のフローチャートに従い説明すれば、燃焼バーナ１の運転を開始させれば、先ずステップ１０で着火指示が出され、ステップ１１に進み軟起動が開始されて、低い吐出圧力の所での静音着火を行うように制御されるが、ステップ１２で補正部９が第一電圧補正を開始し、図２に示すように軟起動着火時に電源電圧が９０Ｖ〜１１０Ｖの所定範囲Ａ間で変動した場合は、電磁ポンプ３の駆動用パルス電圧のオンタイムが反比例式で増減され、基準電圧１００Ｖ付近では電源電圧の変動に応じてオンタイムの補正を行うが、９０Ｖ以下及び１１０Ｖ以上はそれぞれ一定に保持され、立ち上がりで電磁ポンプ３が安定しない９０Ｖ以下及び１１０Ｖ以上は反比例式による補正をしないことで、吐出圧力及び燃油量の変動を防止して、静音着火が確実に行われ、スモークや臭いの発生をなくした着火が常に得られるようにしているものである。
【００１５】
更にステップ１３で軟起動が終了しステップ１４に進んで炎検知手段（図示せず）等で燃焼バーナ１の着火を検知し、ＹＥＳでステップ１５に進み補正部９が第二電圧補正を開始しステップ１６の通常燃焼へ移行するもので、第二電圧補正は図３に示すように通常燃焼範囲全域に渡って電源電圧の変動に応じ電磁ポンプ３のオンタイムを反比例式で補正し、電源電圧がどんなに変動しても異常燃焼を起こさず常に適正な燃焼が行えるようにしたものである。
【００１６】
又電圧補正を着火時と通常燃焼時とで二種類設けたことにより、それぞれ最適な補正が行われて、着火に適した吐出圧力及び燃油量の供給であり、通常燃焼に適した吐出圧力及び燃油量の供給で、常に良好な着火及び通常燃焼が行われるものである。
【図面の簡単な説明】
【００１７】
【図１】この発明一実施形態を付した圧力可変式燃焼バーナの概略構成図。
【図２】着火時の第一電圧補正の説明図。
【図３】通常燃焼時の第二電圧補正の説明図。
【図４】要部の作動状態を示すフローチャート。
【符号の説明】
【００１８】
１  燃焼バーナ
２  ノズル
３  電磁ポンプ
７  制御回路
８  電源電圧検知部
９  補正部
【図１】
2005265333.tif 000003
【図２】
2005265333.tif 000004
【図３】
2005265333.tif 000005
【図４】
2005265333.tif 000006